(57)【要約】  本発明の実施形態は、本体部と、本体部と電気的に接続された可動部と、本体部を可動部と同軸的に接続する切り換え制御ユニット及び回転ドライバユニットとを含むユーザ機器を提供する。切り換え制御ユニットは、可動部の回転モードをオンにするために、可動部と相対的に本体部を固定する摩擦を取り除くため使用される。回転ドライバユニットは、切り換え制御ユニットが可動部の回転モードをオンにしたとき、予備加圧弾性力を可動部に加えるため使用され、可動部が本体部と相対的に自動的に回転することを可能にする。予備加圧弾性力は前記摩擦より小さい。本発明のユーザ機器は比較的優れた操作性を有し、ユーザは可動部の回転中に可動部を機械的に動かす必要がない。
2012526403.tif 000002
【特許請求の範囲】
【請求項１】
本体部と、前記本体部に電気的に接続された可動部と、前記本体部及び前記可動部を同軸的に接続する切り換え制御ユニット及び回転ドライバユニットと、を備えるユーザ機器であって、
前記切り換え制御ユニットは、外力を加えられることで前記可動部の回転モードをオンにし、前記本体部が前記可動部と相対的に固定されることを可能にする摩擦を取り除き、
前記回転ドライバユニットは、前記可動部が前記本体部と相対的に回転することを可能にするため、前記切り換え制御ユニットが前記可動部の前記回転モードをオンにしたとき、前記摩擦より小さい予備加圧弾性力を前記可動部に加える、ユーザ機器。
【請求項２】
前記切り換え制御ユニットは、切り換え要素と拘束要素とを備え、
前記拘束要素は、互いに堅く結合されたカムと凹型ホイールとのペアを備え、
前記カムは、前記本体部と前記可動部の一方に直接的に固定されるか、又は、前記本体部と前記可動部の一方に他の物理的構造体を介して固定され、
前記凹型ホイールは第１の固定軸に固定され、前記第１の固定軸の一端は前記カムを貫通し前記本体部の外側に露出した前記切り換え要素と接触し、前記第１の固定軸の他端は第１のバネを貫通し前記本体部と前記可動部の他方に直接的に固定されるか、又は、前記本体部と前記可動部の他方に他の物理的構造体を介して固定され、
前記回転ドライバユニットは第２のバネを備え、前記第２のバネの両端は、それぞれ前記本体部及び前記可動部に直接的に又は他の物理的構造体を介して固定されている、請求項１に記載のユーザ機器。
【請求項３】
前記切り換え制御ユニットは、切り換え要素と拘束要素とを備え、
前記拘束要素は、互いに堅く結合されたカムと凹型ホイールとのペアを備え、
前記凹型ホイールは、前記本体部と前記可動部の一方に直接的に固定されるか、又は、前記本体部と前記可動部の一方に他の物理的構造体を介して固定され、
前記カムホイールは第１の固定軸に固定され、前記固定軸の一端は、前記凹型ホイールを貫通し前記本体部の外側に露出した前記切り換え要素と接触し、前記第１の固定軸の他端は前記第１のバネを貫通し前記本体部と前記可動部の他方に直接的に固定されるか、又は、前記本体部と前記可動部の他方に他の物理的構造体を介して固定され、
前記回転ドライバユニットは、第２のバネを備え、前記第２のバネの両端は、それぞれ前記本体部及び前記可動部に直接的に又は他の物理的構造体を介して固定されている、請求項１に記載のユーザ機器。
【請求項４】
前記可動部の両側面に第１の取り付け穴及び第２の取り付け穴が配置され、前記第１の取り付け穴に対応する前記本体部の位置に第１の収容部が配置され、前記第２の取り付け穴に対応する前記本体部の位置に第２の収容部が配置され、
前記切り換え制御ユニット及び前記回転ドライバユニットは前記本体部の両側に配置され、前記切り換え制御ユニットは前記第１の収容部及び前記第１の取り付け穴に接続され、前記回転ドライバユニットは前記第２の収容部及び前記第２の取り付け穴に接続される、請求項２又は３に記載のユーザ機器。
【請求項５】
前記切り換え要素が押しボタンであり、前記拘束要素は、前記第１の収容部と前記第１の取り付け穴とを貫通して取り付けられ、前記拘束要素は、少なくとも１本のプッシュロッドと、第１の軸スリーブと、スナップリングとを備え、前記第１の固定軸の両端に第１の終端部及び第２の終端部が配置され、前記カムホイールに貫通穴及び少なくとも２つの突起フィールドが配置され、前記凹型ホイールに前記突起フィールドと結合される凹型フィールドが配置され、
前記カムホイールと、前記凹型ホイールと、前記第１のバネと、前記第１の軸スリーブと、前記スナップリングとが前記第１の終端部と前記第２の終端部との間に順番に通されて取り付けられ、前記スナップリングは前記第２の終端部に固定され、前記突起フィールド及び前記凹型フィールドは互いに対向するように構成され、前記第１の軸スリーブの外径は前記凹型ホイールの外径より大きく、前記プッシュロッドの一端は前記押しボタンに接着され、前記プッシュロッドの他端は前記貫通穴を通過して前記凹型ホイールに接着され、前記第１の軸スリーブは前記第１の取り付け穴と堅く結合され、前記カムホイールは前記第１の収容部と堅く結合され、
前記第１のバネは、前記第１のバネの弾性力により前記カムホイール及び前記凹型ホイールが互いに堅く結合されるように、前記可動部が停止されているとき圧縮状態にある、請求項４に記載のユーザ機器。
【請求項６】
前記回転ドライバユニットは、中空である第２の固定軸と第２の軸スリーブとをさらに備え、
前記第２の固定軸は前記第２の取り付け穴に通されて取り付けられ、前記第２の固定軸の一端は前記可動部の内面に接着され、前記第２の固定軸の他端は前記第２のバネ及び前記第２の軸スリーブと共に配置され、前記第２の軸スリーブは前記第２のバネに取り付けられて前記第２のバネの周囲を覆い、前記第２のバネの一端は前記第２の軸スリーブに接続され、前記第２のバネの他端は前記第２の取り付け穴の内面に接続され、前記第２の軸スリーブは前記第２の収容部と堅く結合され、前記第２のバネは前記可動部が停止されているときにねじれている、請求項４に記載のユーザ機器。
【請求項７】
第１の取り付け穴及び第２の取り付け穴が前記可動部の両側面に配置され、前記第１の取り付け穴に対応する前記本体部の位置に第１の収容部が配置され、前記第２の取り付け穴に対応する前記本体部の位置に第２の収容部が配置され、
前記切り換え制御ユニット及び前記回転ドライバユニットは前記本体部の同じ側に配置され、前記回転ドライバユニットは前記第１の収容部に接続され、前記切り換え制御ユニットは前記第１の取り付け穴に接続され、前記切り換え制御ユニットは前記回転ドライバユニットに接続され、前記第２の取り付け穴及び前記第２の収容部はケーブルを通し取り付けるため使用される、請求項２又は３に記載のユーザ機器。
【請求項８】
前記拘束要素は第１の軸スリーブとスナップリングとをさらに備え、前記第１の固定軸の両端に第１の終端部及び第２の終端部が配置され、前記カムホイールに少なくとも２つの突起フィールドが配置され、前記凹型ホイールに前記突起フィールドと結合させられる凹型フィールドが配置され、前記第１の軸スリーブの開口端にストッパ部が配置され、
前記回転ドライバユニットは、第２の軸スリーブとスライダとをさらに備え、
前記スナップリングと、前記第１の軸スリーブと、前記第１のバネと、前記カムホイールと、前記凹型ホイールと、前記第２のバネと、前記スライダと、前記第２の軸スリーブとは、前記第１の終端部と前記第２の終端部との間に順番に通されて取り付けられ、前記スナップリングと前記第１の軸スリーブのカバー端とが第２の終端部の溝に固定され、前記カバー端は前記スナップリングから離間され、前記カムホイールは前記第１の固定軸に固定され、前記突起フィールド及び前記凹型フィールドは互いに対向するように構成され、前記ストッパ部は、前記第１のバネと前記カムホイールと前記凹型ホイールとを前記第１の軸スリーブの内部に封止し、前記第１の軸スリーブの内壁が前記凹型ホイールと堅く結合され、前記第１の軸スリーブの外壁が前記第１の取り付け穴と堅く結合され、
前記第２のバネの一端は前記凹型ホイールに接続され、前記第２のバネの他端は前記スライダに接続され、前記第２の軸スリーブの外壁は前記第１の収容部と堅く結合され、前記第２のスリーブは前記スライダの周方向に前記スライダと相対的に静止し、
前記第１の終端部は前記本体部の外側に延在して前記切り換え要素に接着され、
前記可動部が停止させられているとき、前記第１のバネは圧縮状態にあり、前記第２のバネはねじれ状態にある、請求項７に記載のユーザ機器。
【請求項９】
固定ピンをさらに備え、前記スライダに貫通のため使用される第１の固定穴が前記第１の固定軸と垂直方向に配置され、前記第１の固定軸の前記第１の終端部に前記第１の固定穴と同軸である第２の固定穴が配置され、前記固定ピンは前記第１の固定穴と前記第２の固定穴とを貫通して前記スライダを前記第１の固定軸に固定する、請求項８に記載のユーザ機器。
【請求項１０】
前記突起フィールドの個数が２個であり、前記凹型フィールドの個数が４又は６個である、請求項８に記載のユーザ機器。
【請求項１１】
前記凹型フィールドは、前記凹型ホイール上に離間して分布する第１の凹型ユニット及び第２の凹型ユニットを備え、前記第１の凹型ユニットの凹部深さが前記第２の凹型ユニットの凹部深さより深い、請求項１０に記載のユーザ機器。
【請求項１２】
前記ユーザ機器がリッド回転ハンドセットであり、前記可動部が前記リッド回転ハンドセットのリッド回転部であるか、又は、
前記ユーザ機器がＵディスクであり、前記可動部が前記Ｕディスクのコネクタである、請求項１に記載のユーザ機器。
【請求項１３】
前記ユーザ機器がデータカードであり、前記可動部が前記データカードのＵＳＢコネクタであり、前記切り換え制御ユニットは金属製であり、前記ＵＳＢコネクタはケーブルを介して前記ユーザ機器の筐体の内部でプリント配線板に接続され、前記ＵＳＢコネクタのアースは、前記ケーブルを介して前記プリント配線板上のアースに接続されるか、又は、前記ＵＳＢコネクタのアースは、前記切り換え制御ユニットを介して前記プリント配線板上のアースに接続されている、請求項１に記載のユーザ機器。
【発明の詳細な説明】
【技術分野】
【０００１】
本出願は、２０１０年８月１２日付けで中国特許庁に出願された、発明の名称が「ユーザ機器」である中国特許出願第２０１０１０２５３５９２．Ｘ号の優先権と、２０１０年９月１９日付けで中国特許庁に出願された、発明の名称が「ユーザ機器」である中国特許出願第２０１０１０２９０４９７．７号の優先権とを主張し、これらの中国特許出願のすべてが参照によって本明細書にそのまま組み込まれている。
本発明は通信技術に関し、特に、自動回転構造を備えるユーザ機器に関する。
【背景技術】
【０００２】
通信技術の継続的な発展と共に、ハンドセット（携帯電話）、データカード、Ｕディスクなどのような種々のユーザ機器は、より一層多くの機能及び形状をもつようになっている。
【０００３】
ユーザ機器の回転自在部がユーザ機器の本体部と相対的に回転するように、回転構造体が現行のユーザ機器に配置されることがある。例えば、回転構造体は、リッド（上蓋）回転型ハンドセット（携帯電話）、ＵＳＢコネクタ付きのデータカード、又は、Ｕディスクに配置され、リッド回転ハンドセットのリッド、又は、データカード及びＵディスクのＵＳＢコネクタが外力によって開けられ回転できるように構成されることができる。従来技術では、回転構造は機械的回転軸である。回転自在ＵＳＢコネクタ付きのＵディスクを一例として挙げると、Ｕディスクは、Ｕディスク本体と、Ｕディスク本体に電気的に接続されたＵＳＢコネクタとを備える。機械的回転軸の一方の端は、Ｕディスク本体に接続され、機械的回転軸のもう一方の端は、ＵＳＢコネクタと接続されている。ＵＳＢコネクタは、外力によって動かすことができ、Ｕディスク本体と相対的に機械的回転軸を中心として回転することができる。このようにして、ＵＳＢコネクタの回転が実現される。
【０００４】
上記ユーザ機器では、回転自在部は、ユーザが回転自在部に継続的に外力を加えない限り、動かすことも回転することもできず、ユーザ操作性を損なう。
【発明の概要】
【発明が解決しようとする課題】
【０００５】
本発明の実施形態は、より良好なユーザ操作性を実現するためユーザ機器を提供する。
【課題を解決するための手段】
【０００６】
本発明は、ユーザ機器を提供し、このユーザ機器は、互いに電気的に接続された本体部及び可動部と、本体部及び可動部を同軸的に接続する切り換え制御ユニット及び回転ドライバユニットとを含む。
【０００７】
切り換え制御ユニットは、外力の影響下で、可動部の回転モードをオンにし、本体部が可動部と相対的に固定されるようにする摩擦を取り除くように構成されている。
【０００８】
回転ドライバユニットは、可動部が本体部と相対的に自動的に回転するように、切り換え制御ユニットが可動部の回転モードをオンにしたとき、前記摩擦より小さい予備加圧弾性力を可動部に加えるように構成されている。
【０００９】
切り換え制御ユニット及び回転ドライバユニットを設けることによって、本機器のユーザ機器は、ユーザが可動部を回転させることを必要とするとき、本体部が可動部と相対的に固定されるようにする摩擦を取り除くために、可動部の回転モードをオンにするように、ユーザが切り換え制御ユニットに外力を加えることを可能にする。このようにして、可動部は、回転ドライバユニットの予備加圧弾性力の影響下で、本体部に対して回転できる。そして、ユーザは、回転の最中には可動部を機械的に動かす必要がないので、ユーザ機器は、比較的優れた操作性を有している。
【００１０】
本発明の実施形態又は従来技術を説明する添付図面が、本発明の実施形態又は従来技術の技術的課題をより明瞭に説明する目的のため、簡単に記載される。以下に記載された図面は明らかに、本発明のいくつかの実施形態を例示するに過ぎない。当業者は、何ら創造的な努力をせずに、これらの図面に従ってその他の図面を導き出すことができる。
【図面の簡単な説明】
【００１１】
【図１】本発明の実施形態によるユーザ機器の分解構造図である。
【図２】図１に示されたユーザ機器の部分構造図である。
【図３】可動部の回転軸の方向に沿った図１に示されたユーザ機器の断面構造図である。
【図４】図１に示されたユーザ機器の中の切り換え制御ユニットの分解構造図である。
【図５】図４に示された切り換え制御ユニットの中のカムの構造図である。
【図６】図５に示された凹型部と結合されるカムの構造図である。
【図７】図１に示されたユーザ機器の中の回転ドライバユニットの分解構造図である。
【図８】図７に示された回転ドライバユニットと可動部との間の接続の断面構造図である。
【図９】本発明の実施形態に従って可動部の回転モードがオフにされたときのユーザ機器の構造図である。
【図１０】回転部が角度９０度回転したときの図９に示されたユーザ機器の構造図である。
【図１１】回転部が角度１８０度回転したときの図９に示されたユーザ機器の構造図である。
【図１２】回転部が角度２７０度回転したときの図９に示されたユーザ機器の構造図である。
【図１３】本発明の別の実施形態によるユーザ機器の部分構造図である。
【図１４】図１３に示されたユーザ機器の中の切り換え制御ユニット及び回転ドライバユニットの分解構造図である。
【図１５】図１３に示されたユーザ機器の中の第１の固定軸に沿った切り換え制御ユニット及び回転ドライバユニットの断面構造図である。
【図１６】図１３に示されたユーザ機器の中の凹型部の構造図である。
【発明を実施するための形態】
【００１２】
本発明の実施形態の目的、特徴及び利点をより明瞭かつ簡単に理解できるようにするため、本発明の実施形態の技術的課題が添付図面を参照して明瞭かつ完全に記載される。ここに記載された実施形態は、本発明の実施形態のすべてではなく、一部に過ぎないことは言うまでもない。本発明の実施形態に基づいて当業者によって創造的な努力なしになされたすべての他の実施形態は、本発明の保護範囲の中に含まれる。
【００１３】
本発明の実施形態によれば、ユーザ機器は、互いに電気的に接続された本体部及び可動部と、本体部及び可動部を同軸的に接続する切り換え制御ユニット及び回転ドライバユニットとを含む。切り換え制御ユニットは、可動部の回転モードをオンにするため、外力の影響下で、本体部が可動部と相対的に固定されるようにする摩擦を取り除くように構成される。回転ドライバユニットは、切り換え制御ユニットが可動部の回転モードをオンにしたとき、可動部が本体部に対して回転することを可能にするため、摩擦より小さい予備加圧弾性力を加えるように構成されている。
【００１４】
特に、実施形態における切り換え制御ユニット及び回転ドライバユニットは、本体部の互いに対向する両側面に配置されるか、又は、本体部の同じ側に配置されてもよい。切り換え制御ユニットと回転ドライバユニットとを接続する方向は、可動部の回転軸の方向である。切り換え制御ユニットが外力の影響を受けないとき、切り換え制御ユニットは、可動部の回転モードをオフにすることができ、すなわち、可動部が本体部と相対的に固定されることを可能にすることができる。切り換え制御ユニットが外力の影響を受けるとき、切り換え制御ユニットは、可動部の回転モードをオンにすることができ、すなわち、可動部が本体部と相対的に運動できるようにすることができる。このモードでは、回転ドライバユニットは、可動部が切り換え制御ユニット及び回転ドライバユニットを回転軸として本体部と相対的に自立的に回転するように、予備加圧弾性力を可動部に加えることができる。すなわち、外力をさらに加えることなしに、可動部は、本体部と相対的に回転することができる。
【００１５】
より具体的には、実施形態における切り換え制御ユニットは、本体部が可動部と相対的に固定されるようにする摩擦を制御することによって可動部の回転モードをオンにするか否かを制御することができる。切り換え制御ユニットが外力の影響を受けたとき、切り換え制御ユニットは、可動部が本体部と相対的に回転できるように、すなわち、可動部の回転モードをオンにすることができるように、本体部が可動部と相対的に固定されることを可能にする摩擦を取り除くことができる。回転ドライバユニットによって供給される予備加圧弾性力は、本体部が可動部と相対的に固定されるようにする摩擦より小さいので、本体部を可動部と相対的に固定するようにする摩擦の影響を受けるとき、切り換え制御ユニットは、本体部及び可動部の回転モードをオフにすることができる。動作中に、外力を切り換え制御ユニットに加えることにより、ユーザは、本体部が可動部と相対的に固定されるようにする摩擦を取り除くことができる。本体部と可動部との間の摩擦が取り除かれたとき、可動部が予備加圧弾性力の影響下で本体部と相対的に回転するように、回転ドライバユニットは、予備加圧弾性力を可動部に印加することができる。
【００１６】
ユーザ機器がリッド回転ハンドセット（携帯電話）である場合を例に挙げることにする。キーパッド部が配置されたハンドセット本体が本体部であり、ディスプレイ画面が配置されたリッド回転部が可動部であり、ハンドセット本体部は、リッド回転部と電気的に接続されている。切り換え制御ユニット及び回転ドライバユニットは、ハンドセット本体をリッド回転部と同軸的に接続することができる。ハンドセットが使用されていないとき、リッド回転部をハンドセット本体と相対的に固定する摩擦の影響下で、ハンドセット本体とリッド回転部とは閉じている。リッド回転部を回転させ、持ち上げる必要があるとき、ユーザは、外力を切り換え制御ユニットに加えることができる。外力の影響下で、スイッチング制御ユニットは、リッド回転部の回転モードをオンにするように、本体部が可動部と相対的に静止させるようにする摩擦を取り除くことができる。さらに、回転ドライバユニットは、回転モードがオンにされているとき、予備加圧弾性力をリッド回転部に加えることができる。従って、予備加圧弾性力の影響下で、リッド回転部は、ハンドセット本体と相対的に自動的に回転することができる。
【００１７】
具体的な実施において、予備加圧弾性力は、バネの予備締め力を介して実施されてもよい。当然ながら、予備加圧弾性力は、弾性トリップの弾性変形を介するような他の方式を介して実施されてもよい。
【００１８】
本実施形態におけるユーザ機器は、回転自在ＵＳＢコネクタ付きのＵディスク又はデータカードなどのような可動部を具備した他のユーザ機器でもよいことが分かる。
【００１９】
本発明の上記実施形態は、切り換え制御ユニット及び回転ドライバユニットの具体的な構造を限定しない。当業者は、切り換え制御機能及び回転ドライバ機能を実現するためこれらの具体的な構造を必要に応じて設計することができる。従って、可動部の回転中に可動部を動かす必要はない。
【００２０】
本発明の上記実施形態のユーザ機器において、切り換え制御ユニット及び回転ドライバユニットを配置することにより、ユーザが可動部を回転させる必要があるとき、ユーザは、本体部及び可動部が互いに静止するようにする摩擦を取り除くために、外力を切り換え制御ユニットに印加することができ、その結果、可動部の回転モードがオンにされる。このように、回転ドライバユニットの予備加圧弾性力の影響下で、可動部は、本体部と相対的に自動的に回転することができ、回転中にユーザによって機械的に作動される必要がない。従って、ユーザ機器は、比較的優れた操作性を有している。
【００２１】
さらに、上記実施形態に基づいて、本発明のユーザ機器の別の実施形態では、切り換え制御ユニット及び回転ドライバユニットがユーザ機器の本体部の両側面に配置され、ユーザ機器により接続されている、任意選択的な実施方式を提供する。特に、第１の取り付け穴及び第２の取り付け穴が可動部の両側面に配置される。第１の収容部が本体部の取り付け穴に対応する位置に配置され、第２の収容部が本体部の第２の取り付け穴に対応する位置に配置される。切り換え制御ユニットは、第１の収容部と第１の取り付け穴とに接続される。回転ドライバユニットは、第２の収容部と第２の取り付け穴とに接続される。
【００２２】
第１の取り付け穴及び第２の取り付け穴は、可動部の両側面に設けられた独立した穴、又は、相互に接続された穴のどちらでもよいことに注意を要する。第１の収容部及び第２の収容部は、溝の形状、又は、貫通穴の形状のどちらでもよい。
【００２３】
特に、本発明のユーザ機器では、切り換え制御ユニットは、本体部の第１の収容部と可動部の第１の取り付け穴とに通されて、取り付けることが可能であり、これに対して回転ドライバユニットは、本体部の第２の収容部と可動部の第２の取り付け穴とに通されて、取り付けることが可能である。従って、切り換え制御ユニット及び回転ドライバユニットの両方は、可動部の回転軸の方向に沿って設けられる。切り換え制御ユニットは、可動部の回転モードのオン制御及びオフ制御ができる。回転ドライバユニットは、自動回転によって必要とされる予備加圧弾性力を可動部に加えることができる。
【００２４】
本発明のユーザ機器の別のより具体的な実施形態では、上記切り換え制御ユニットは、切り換え要素と、切り換え要素に接続された拘束要素とを備えていてもよい。切り換え要素は本体部の外面に露出され、拘束要素は、第１の収容部と第１の取り付け穴に通されて取り付けられる。拘束要素は、切り換え要素が受ける外力の影響下で、本体部と可動部とが互いに静止するようにする摩擦を取り除くために使用される。
【００２５】
本実施形態では、切り換え要素は、押しボタン、スライドスイッチなどでもよい。ユーザは、拘束要素が本体部と可動部とが互いに静止するようにする摩擦を取り除くことを可能にする押しボタンを押下するか、又は、スライドスイッチを滑らせることにより、外力を拘束要素に加えることができ、その結果、可動部は、回転ドライバユニットの予備加圧弾性力の影響下で、本体部と相対的に回転する。
【００２６】
以下では、本発明の技術的解決策を詳細に説明するため、回転自在ＵＳＢコネクタ付きのデータカードがユーザ機器として使用される。
【００２７】
図１は、本発明の実施形態によるユーザ機器の分解構造図である。図２は、図１に示されたユーザ機器の部分構造図である。図３は、可動部の回転軸の方向に沿った図１に示されたユーザ機器の断面構造図である。図４は、図１に示されたユーザ機器の中の切り換え制御ユニットの分解構造図である。図５は、図４に示された切り換え制御ユニットの中のカムの構造図である。図６は、図５に示された凹型部と結合されるカムの構造図である。図７は、図１に示されたユーザ機器の中の回転ドライバユニットの分解構造図である。図８は、図７に示された回転ドライバユニットと可動部との間の接続の断面構造図である。
【００２８】
図１乃至８に示されるように、実施形態では、第１の取り付け穴３１及び第２の取り付け穴３２が可動部３の両側面に配置されている。第１の収容部４１は、本体部４の第１の取り付け穴３１に対応する位置に配置されている。第２の収容部４２は、本体部４の第２の取り付け穴３２に対応する位置に配置されている。切り換え制御ユニット１は、押しボタン１１と、２本のプッシュロッド１２と、第１の固定軸１３と、カムホイール１４と、凹型ホイール１５と、第１のバネ１６と、第１の軸スリーブ１７と、スナップリング１８とを含む。第１の終端部１３１及び第２の終端部１３２が、第１の固定軸１３の両端に配置されている。２個の貫通穴１４１及び２個の突起フィールド１４２がカムホイール１４に配置されている。突起フィールド１４２と結合される凹型フィールド１５１が、凹型ホイール１５に配置されている。カムホイール１４と、凹型ホイール１５と、第１のスプリング１６と、第１の軸スリーブ１７と、スナップリング１８とは、第１の終端部１３１と第２の終端部１３２との間に順番に通されて取り付けられ、スナップリング１８は第２の終端部１３２に固定される。突起フィールド１４２及び凹型フィールド１５１は、対向するように配置される。第１の軸スリーブ１７の内径は、凹型ホイール１５の外径より大きい。２本のプッシュロッド１２のそれぞれの一端は、押しボタン１１に接着されて結合されており、２本のプッシュロッド１２のそれぞれの他端は、貫通穴１４１を介して凹型ホイール１５に接着されて結合されている。第１の軸スリーブ１７は、第１の取り付け穴３１と堅く結合されている。カムホイール１４は、第１の収容部４１と堅く結合されている。そして、押しボタン１１は、本体部４の外側に露出している。第１のバネ１６は、可動部３が停止させられているとき（閉じてオフのとき）、圧縮状態にあることで、カムホイール１４と凹型ホイール１５とは、第１のバネ１６の弾性力の影響下で、互いに堅く接着されている。回転ドライバユニット２は、中空である第２の固定軸２１と、第２の軸スリーブ２２と、第２のバネ２３とを含む。第２の固定軸２１は、第２の取り付け穴３２に通され、取り付けられ、第２の固定軸２１の一端は、可動部３の内面に接着させられている。第２のバネ２３及び第２の軸スリーブ２２は、第２の固定軸２１の他端に取り付けられ、他端の周囲を覆う。第２の軸スリーブ２２は、第２のバネ２３に取り付けられ、第２のバネ２３の周囲を覆う。第２のバネ２３の一端は、第２の軸２２に接続され、第２のバネ２３のもう他端は、第２の取り付け穴３２の内面に接続されている。第２の軸スリーブ２２及び第２の収容部４２は、互いに堅く結合されている。第２のバネ２３は、可動部３が停止させられているとき（オフのとき）圧縮状態にある。可動部３と本体部４とを電気的に接続するケーブルは、第２の固定軸２１の中空部を通過し、本体部４のプリント配線板に接続されていてよい。本実施形態では、第１のバネ１６として引き付けバネが使用されてもよく、第２のバネ２３としてねじりバネが使用されてもよい。本実施形態では、データカードのＵＳＢコネクタは、ケーブルによって筐体内部のプリント配線板（以下、「ＰＣＢ」と称する）と電気的に接続可能である。さらに、ケーブルは、第２の軸スリーブ２２を通過し、ＵＳＢコネクタのアースをＰＣＢ上のアースに接続することができる。その上、第１の固定軸１３は金属製であり、ＵＳＢコネクタのアースをＰＣＢ上のアースにさらに接続することができる。このように、データカードのＵＳＢコネクタを右面及び左面でＰＣＢに同時に接地すること、すなわち、２重接地が、ケーブルと第１の固定軸１３とによって実現できる。当業者は、本実施形態が単一接地の形式をとることも可能であること、すなわち、ＵＳＢコネクタのアースが、ケーブル又は第１の固定軸１３によってＰＣＢ上のアースに接続できることも分かるであろう。
【００２９】
本実施形態は、説明のための一例として２本のプッシュロッドを挙げているに過ぎないことに注意されたい。当業者は、本実施形態において、プッシュロッド１２と凹型ホイール１５との間の接触面積を拡大し、押しボタン１１の動作の信頼性を高めるために、より多くの貫通穴１４１がより多くのプッシュロッド１２を通すようにカムホイール１４の構造に従ってカムホイール１４に配置されてもよいことが分かるであろう。
【００３０】
図９は、可動部が回転モードをオフにされたモードにあるときの本発明のユーザ機器の構造図である。
【００３１】
図１０は、回転部が角度９０度回転したときの、図９に示されたユーザ機器の構造図である。図１１は、回転部が角度１８０度回転したときの、図９に示されたユーザ機器の構造図である。図１２は、回転部が角度２７０度回転したときの、図９に示されたユーザ機器の構造図である。
図９乃至１２に示されるように、そして上記図１乃至８をも参照すると、具体的には、可動部３が回転モードをオフにされた状態にあるとき、例えば０度の状態にあるとき、回転ドライバユニット２の第２のバネ２３は、最大予備加圧状態にある。すなわち、第２のバネ２３は、可動部３を回転させる駆動能力をもつ予備加圧弾性力を有している。本実施形態では、第２のバネの予備加圧弾性力をＴ１として示す。さらに、切り換え制御ユニット１の第１のバネ１６は、ある程度の量の予備加圧弾性力を同様に有しうるので、カムホイール１４及び凹型ホイール１５は、カムホイール１４が凹型ホイール１５と相対的に固定されうるように一体的に予備加圧される。本実施形態では、カムホイール１４と凹型ホイール１５との間の相対的な摩擦をＴ２として示す。従って、回転モードがオフにされたとき、カムホイール１４が凹型ホイール１５と堅く結合された際にカムホイール１４と凹型ホイール１５との間の相対的な摩擦によって回転ドライバユニット２の第２のバネ２３が確実に可動部３を回転できないようにするため、Ｔ２がＴ１より大きいことが必要とされる。
【００３２】
押しボタン１１を押下するか、又は、滑らせると、２本のプッシュロッド１２は第１の固定軸１３の軸中心の方向へ凹型ホイール１５を押し、凹型ホイール１５をカムホイール１４から分離するために、強制的に凹型ホイール１５に第１のバネ１６を加圧させる。この分離の動作が、可動部の回転モードをオンにすることに相当する。カムホイール１４と凹型ホイール１５との間の相対的な摩擦Ｔ２が取り除かれた後、第２のバネ２３は、予備加圧弾性力Ｔ１の影響下でねじることができる。すなわち、可動部３は、第２のバネ２３が完全に緩められるか、又は、押しボタン１１が解除され、可動部３が回転を停止するまで回転させられる。当業者は、第２のバネが完全に緩められたときの可動部３の回転角を、様々なユーザ機器の要件を満足させるために設定可能であることに注意されたい。例えば、本実施形態のデータカードについては、第２のバネ２３が完全に緩められたときのＵＳＢコネクタの回転角は１８０度に設定することができる。しかし、ハンドセットに対しては、第２のバネ２３が完全に緩められたときのリッド回転部の回転角は１６０度に設定可能である。
【００３３】
押しボタンを解除した後、凹型ホイール１５は、第１のバネ１６によって押下されることになり、凹型ホイール１５がカムホイール１４と堅く結合された状態に戻る。この時点で、切り換え制御ユニット１の２本のプッシュロッドは、このロッドの元の状態に戻る。この時点で、凹型ホイール１５がカムホイール１４と堅く結合されているときの相対的な摩擦Ｔ２が存在するので、可動部３、すなわち、ＵＳＢコネクタは、回転を停止し、現在の位置に留まる。第２のバネ２３が完全に緩められている場合、可動部３、すなわち、ＵＳＢコネクタは、最大回転角、例えば、１８０度の位置に留まることになる。
【００３４】
可動部３の回転中に、第１の軸スリーブ１７と第１の取り付け穴３１との間の相対的な滑りを防止し、第１の収容部４１とカムホイール１４との間の相対的な滑りを防止するために、本実施形態では、第１の軸スリーブ１７の断面の外形は、第１の軸スリーブ１７が相対的な滑りなしで第１の取り付け穴３１と密接に結合させることができるように、多角形、例えば、正方形でもよく、カムホイール１４の断面の外形は、カムホイール１４が相対的な滑りなしで第１の収容部４１と密接に結合させることができるように、多角形でもよい。第２の軸スリーブ２２の断面の外形は、可動部３の回転中に第２の軸スリーブ２２と第２の収容部４２との間の相対的な滑りを防止するため、多角形でもよい。第１の軸スリーブ１７と第１の取り付け穴３１とを接続し、第１の収容部４１とカムホイール１４とを接続し、或いは、第２の軸スリーブ２２と第２の収容部４２とを接続するために、接着及びその他のクリップ方式が使用されてもよいことが理解される。代替的に、第１の軸スリーブ１７と第１の取り付け穴３１とのペア、第１の収容部４１とカムホイール１４とのペア、又は、第２の軸スリーブ２２と第２の収容部４２とのペアは、それぞれ、相対的な滑りを防止するために一体に構成することができる。
【００３５】
さらに、自動回転が採用されない場合、手動回転が本実施形態のユーザ機器で使用できる。例えば、ＵＳＢコネクタが１８０度の状態にあるときに、ＵＳＢコネクタを角度９０度の状態まで手動で回転させることが必要である場合、外力をＵＳＢコネクタに加えることにより凹型ホイール１５を第１の固定軸１３に沿って第１の軸スリーブ１７の内面に向かって動かすようにすることができる。凹型ホイール１５が第１のバネ１６を押して、凹型ホイール１５をカムホイール１４から分離させる。この時点で、ＵＳＢコネクタを回転させることができる。ＵＳＢコネクタが第１のバネ１６の弾性力の下で９０度まで回転されると、凹型ホイール１５は、カムホイール１４と再び堅く結合させられることになる。このとき、Ｔ２＞Ｔ１であるので、ＵＳＢコネクタは９０度の位置に保つことができる。別の実施例では、ＵＳＢコネクタが１８０度の状態にあるときに、ＵＳＢコネクタを角度２７０度の状態まで手動で回転させることが必要である場合、凹型ホイール１５を第１の固定軸１３に沿って第１の軸スリーブ１７の内面に向かって動かすことができる。凹型ホイール１５が第１のバネ１６を押して、凹型ホイール１５をカムホイール１４から分離させる。次いで、ＵＳＢコネクタが回転する。ＵＳＢコネクタが９０度回転した後、第１のバネ１６の弾性力の影響下で凹型ホイール１５はカムホイール１４と再び堅く結合されることになる。このとき、Ｔ２＞Ｔ１であるので、ＵＳＢコネクタを２７０度の回転位置に保つことができる。従って、押しボタン１１が配置されていない場合、ユーザは、ＵＳＢコネクタを手動で回転させることにより、異なる停止場所で回転の一時停止を実現することができる。
【００３６】
本実施形態では、２個の突起フィールド１４２がカムホイール１４に配置され、４個の凹型フィールド１５１が凹型ホイール１５に配置されているので、本実施形態におけるデータカードの本体に対するＵＳＢコネクタの回転停止場所は、停止場所毎に９０度で分割することができる。６個の凹型フィールド１５１が凹型ホイール１５上に配置された状況では、データカードの本体に対するＵＳＢコネクタの回転停止場所は、停止場所毎に６０度に分割できることが理解されるであろう。当業者は、実際的な必要性に応じて、カムホイール１４の突起フィールド１４２及び凹型ホイール１５上の凹型フィールドの構造及び個数を指定することができる。
【００３７】
さらに、実施形態では、凹型ホイール１５上にある様々な凹部深さを有する凹型フィールド１５１を設定することができる。従って、ユーザが押しボタンを押下し、押下深さが浅いとき、可動部は、ある程度の角度で回転させられてもよい。押しボタンがさらに押し下げられて押下深さが増大されたとき、可動部は、別の角度で回転されてもよい。例えば、４個の凹型フィールド１５１が凹型ホイール１５の周囲に一様に分布し、４個の凹型フィールド１５１のうちより深い深さをもつ２個が互いに対向するように配置され、４個の凹型フィールド１５１のうちより浅い深さをもつ別の２個が互いに対向するように配置されてもよい。従って、押しボタンを押し下げることによって得られる深さが比較的浅いとき、可動部は９０度回転することができる。ユーザが押しボタンをさらに押し下げたとき、可動部は１８０度回転することができる。従って、異なる凹部深さをもつ凹型フィールドを設計することにより、ユーザは可動部の回転角を制御することができる。
【００３８】
本実施形態のユーザ機器に対して、切り換え制御ユニットを制御するため押しボタンを配置することにより、ユーザは、可動部を回転させることが必要であるとき、押しボタンを押し下げることにより外力を切り換え制御に加えることができ、これにより可動部と本体部とが互いに静止させるようにする摩擦が取り除かれるように可動部の回転モードがオンにされる。次に、回転ドライバユニットによって加えられた予備加圧弾性力の影響下で、可動部は本体部と相対的に自動的に回転することができ、ユーザは回転中に可動部を機械的に動かす必要がない。代替的に、ユーザは、カムホイールの突起フィールドと凹型ホイールの凹型フィールドとの間の摩擦に手動で抗して、可動部を本体部と相対的に回転させ、可動部の停止場所を制御することができる。従って、この実施形態は、ユーザ機器が比較的優れた操作性を有することができる。
【００３９】
以下では、別の実施形態が、切り換え制御ユニット及び回転ドライバユニットがユーザ機器の本体部の同じ側に配置される技術的解決策を詳細に説明するため使用される。この実施形態では同様に、説明のためにデータカードがユーザ機器として使用される。この実施形態では、第１の取り付け穴及び第２の取り付け穴は、可動部の両側面に配置される。第１の収容部が、本体部の第１の取り付け穴に対応する位置に配置され、第２の収容部が、本体部の第２の取り付け穴に対応する位置に配置されている。切り換え制御ユニット及び回転ドライバユニットは、本体部の同じ側面に位置している。回転ドライバユニットは、第１の収容部に接続されている。切り換え制御ユニットは、第１の取り付け穴に接続されている。切り換え制御ユニットは、回転ドライバユニットに接続されている。第２の取り付け穴及び第２の収容部は、ケーブルを通し、取り付けるため使用される。この実施形態における可動部は、上記実施形態の図４に示された可動部に類似するので、ここでは再び詳細に説明されない。
【００４０】
図１３は、本発明の別の実施形態によるユーザ機器の部分構造図である。図１４は、図１３に示されたユーザ機器の中の切り換え制御ユニット及び回転ドライバユニットの分解構造図である。図１５は、図１３に示されたユーザ機器の中の第１の固定軸に沿った切り換え制御ユニット及び回転ドライバユニットの断面構造図である。図１６は、図１３に示されたユーザ機器の中の凹型部の構造図である。
図１３乃至１６に示されるように、この実施形態では、切り換え制御ユニット１は、押しボタン１１と、第１の固定軸１３と、カムホイール１４と、凹型ホイール１５と、第１のバネ１６と、第１の軸スリーブ１７と、スナップリング１８とのような切り換え要素を備える。第１の終端部１３１及び第２の終端部１３２が、第１の固定軸１３の両端に配置されている。少なくとも２個の突起フィールドが、カムホイール１４に設けられている。突起フィールドと結合される凹型フィールド１５１が、凹型ホイール１５に配置されている。ストッパ部１７２が、第１の軸スリーブ１７の開口端１７１に配置されている。回転ドライバユニット２は、第２の軸スリーブ２２と、第２のバネ２３と、スライダ２４とを備える。スナップリング１８と、第１の軸スリーブ１７と、第１のバネ１６と、カムホイール１４と、凹型ホイール１５と、第２のバネ２３と、スライダ２４と、第２の軸スリーブ２２とは、第１の終端部１３１と第２の終端部１３２との間に順番に通され、取り付けられる。スナップリング１８と、第１の軸スリーブ１７のカバー端１７３とは、第２の終端部１３２の溝１３３の内部に固定され、カバー端１７３は、スナップリング１８から離間している。カムホイール１４は、第１の固定軸１３に固定されている。突起フィールド及び凹型フィールド１５１は互いに対向するように配置され、ストッパ部１７２は、第１の軸スリーブ１７の内面の内部に第１のバネ１６と、カムホイール１４と、凹型ホイール１５とを封止する。第１の軸スリーブ１７の内壁は、凹型ホイール１５と堅く結合されている。第１の軸スリーブの外壁は、図４に示されたように、可動部３の第１の取り付け穴３１と堅く結合されている。第２のバネ２３の一端は凹型ホイール１５に接続され、第２のバネ２３の他端はスライダ２４に接続されている。第２の軸スリーブ２２の外壁は、第１の収容部４１と堅く結合されている。第２の軸スリーブ２２及びスライダ２４は、スライダ２４の周方向に対し互いに静止している。第１の終端部１３１は本体部４の外側に延在し、押しボタン１１に接着される。可動部が停止させられたとき（オフのとき）、第１のバネ１６は圧縮状態にあり、第２のバネ２３はねじれ状態にある。
【００４１】
さらに、スライダ２４が、第１の固定軸１３が確実にこの軸方向に沿って往復運動できるようにするために、スライダ２４を第１の固定軸１３に固定するため、本実施形態では、スライダ２４が第１の固定軸１３と垂直になるように、固定ピン２５をスライダ２４の第１の固定穴２４１と第１の固定軸１３の第１の終端部１３１上の第２の固定穴１３４とに挿入することも可能であり、これにより、スライダ２４は、第１の固定軸１３が軸方向に沿って往復運動するように第１の固定軸１３を案内することができる。
【００４２】
使用時に、ユーザは、押しボタン１１を押下することができ、すると、外力の影響下で、第１の固定軸１３は、カムホイール１４をスナップリング１８に向かって動くように駆動することで、凹型ホイール１５とカムホイール１４とを分離するため第１のバネ１６を押すようにすることができる。凹型ホイール１５とカムホイール１４とを分離することは、可動部の回転モードをオンにすることに相当する。カムホイール１４と凹型ホイール１５との間の相対的な摩擦が取り除かれたとき、第２のバネ２３は、予備加圧弾性力の影響下でねじられることができる。第２のバネ２３の一端はスライダ２４に接続され、第２のスプリング２３の他端は凹型ホイール１５に接続されている。スライダ２４と第２の軸スリーブ２２とは、スライダ２４の周方向に対して互いに静止しているので、第２のバネ２３のねじれ力は、凹型ホイール１５が第１の軸スリーブ１７を回転させるように駆動することを可能にする。また、第１の軸スリーブ１７は可動部と堅く結合されているので、第１の軸スリーブ１７は可動部を回転させることが可能である。第２のバネ２３が完全に緩められるか、又は、押しボタンが解放されると、可動部は回転を停止する。当業者は、様々なユーザ機器の要求を満たすように、必要に応じて第２のバネ２３が完全に緩められたときの可動部の回転角を設定できることに注意されたい。例えば、この実施形態のデータカードでは、第２のバネ２３が完全に緩められているときのＵＳＢコネクタの回転角は１８０度に設定することができる。しかし、ハンドセットに対しては、第２のバネ２３が完全に緩められたときのリッド回転部の回転角は１６０度に設定することができる。
【００４３】
押しボタンが解放された後、カムホイール１４は、第１のバネ１６によって加圧され、カムホイール１４が凹型ホイール１５と堅く結合した状態に戻る。このとき、カムホイール１４が凹型ホイール１５と堅く結合されているときカムホイール１４と凹型ホイール１５との間に相対的な摩擦が存在するので、可動部、すなわち、データカードのＵＳＢコネクタは回転を停止し、現在位置に留まることになる。第２のバネ２３が完全に緩められた場合、可動部、すなわち、ＵＳＢコネクタもまた、１８０度のような最大回転角の位置に留まることになる。
【００４４】
実施形態では、可動部と本体部とを電気的に接続するケーブルは、本体部４のプリント配線板に接続するために第２の収容部４２及び第２の取り付け穴を通り抜けることができる。本実施形態では、第１のバネ１６として引き付けバネを使用することができ、第２のバネ２３としてねじれバネを使用することができる。本実施形態では、データカードのＵＳＢコネクタは、ケーブルによって筐体内部のプリント配線板（ＰＣＢ）と電気的に接続可能である。さらに、ケーブルは、ＵＳＢコネクタのアースをＰＣＢのアースに接続することができる。その上、第１の固定軸は、金属製であり、ＵＳＢコネクタのアースをＰＣＢのアースにさらに接続することもできる。このように、データカードのＵＳＢコネクタと右面及び左面でＰＣＢとを同時に接地すること、すなわち２重接地を、ケーブルと第１の固定軸１３とによって実現できる。当業者には、本実施形態が単一接地の形式をとることも可能であること、すなわち、データカードのＵＳＢコネクタのアースが、ケーブル又は第１の固定軸１３によってＰＣＢのアースに接続可能であることが理解されるであろう。
【００４５】
本実施形態では、凹型フィールド１５１は、凹型ホイール１５の周囲に互いに離間した状態で一様に分布させることも可能である。凹型フィールドは、異なる凹部深さをもつ第１の凹型フィールドと第２の凹型フィールドとで構成することができ、このとき第１の凹型フィールドの凹部深さは、第２の凹型フィールドの凹部深さより深い。従って、ユーザが押しボタンを押し、押下深さが浅いとき、可動部は、ある程度の角度で回転させられることができる。押しボタンが押下深さを増大させるためさらに押し下げられるとき、可動部は、別の角度で回転させられることができる。例えば、４個の凹型フィールド１５１が凹型ホイール１５の周囲に一様に分布している場合、４個の凹型フィールド１５１のうちのより深い凹部深さをもつ２個が互いに対向するように配置され、４個の凹型フィールド１５１のうちのより浅い凹部深さをもつ２個が互いに対向するように配置されている。従って、押しボタンを押し下げることによって得られる深さが比較的浅いとき、可動部は９０度回転できる。ユーザが押しボタンをさらに押し下げるとき、可動部は１８０度回転できる。従って、異なる凹部深さをもつ凹型フィールドを設計することにより、ユーザは可動部の回転角を制御できる。
【００４６】
本実施形態のユーザ機器の操作では、可動部を回転させることが必要であるとき、ユーザは、押しボタンを押し下げることによって外力を切り換え制御ユニットに加えることができ、これにより可動部と本体部とが互いに静止するようにする摩擦を取り除くように可動部の回転モードがオンにされる。次いで、回転ドライバユニットによって印加される予備加圧弾性力の影響下で、可動部は本体部と相対的に自動的に回転可能であり、ユーザは、回転中に可動部を機械的に動かす必要がない。代替的に、ユーザは、カムの突起フィールドと凹型ホイールの凹型フィールドとの間の摩擦に手動で抗することで、可動部を本体部と相対的に回転させ、可動部の停止場所を制御することができる。従って、本実施形態は、ユーザ機器が比較的優れた操作性を有することを可能にする。その上、本実施形態のユーザ機器は、ユーザのための２つ以上の停止位置の回転角を提供することができるので、ユーザの使用感を向上させる。
【００４７】
最後に、上記実施形態は、本発明の技術的解決策を例示するため使用されるに過ぎず、本発明の限定を構成することは意図されていないことに注意されたい。本発明は、上記実施形態を参照して詳細に説明されているが、当業者は依然として、上記実施形態に記載された技術的解決策の変形、又は、これらの技術的解決策の一部の技術的特徴の等価的な置換を行うことが可能であり、これらの変形及び置換が対応する技術的解決策の本質を本発明の種々の実施形態の技術的解決策の保護範囲から逸脱させないことが分かるであろう。
【図１】
2012526403.tif 000003
【図２】
2012526403.tif 000004
【図３】
2012526403.tif 000005
【図４】
2012526403.tif 000006
【図５】
2012526403.tif 000007
【図６】
2012526403.tif 000008
【図７】
2012526403.tif 000009
【図８】
2012526403.tif 000010
【図９】
2012526403.tif 000011
【図１０】
2012526403.tif 000012
【図１１】
2012526403.tif 000013
【図１２】
2012526403.tif 000014
【図１３】
2012526403.tif 000015
【図１４】
2012526403.tif 000016
【図１５】
2012526403.tif 000017
【図１６】
2012526403.tif 000018
【手続補正書】
【提出日】平成23年11月9日(2011.11.9)
【手続補正１】
【補正対象書類名】明細書
【補正対象項目名】図面の簡単な説明
【補正方法】変更
【補正の内容】
【図面の簡単な説明】
【００１１】
【図１】  本発明の実施形態によるユーザ機器の分解構造図である。
【図２】  図１に示されたユーザ機器の部分構造図である。
【図３】  可動部の回転軸の方向に沿った図１に示されたユーザ機器の断面構造図である
。
【図４】  図１に示されたユーザ機器の中の切り換え制御ユニットの分解構造図である。
【図５】  図４に示された切り換え制御ユニットの中のカムの構造図である。
【図６】  図５に示されたカムと結合される凹型部の構造図である。
【図７】  図１に示されたユーザ機器の中の回転ドライバユニットの分解構造図である。
【図８】  図７に示された回転ドライバユニットと可動部との間の接続の断面構造図であ
る。
【図９】  本発明の実施形態に従って可動部の回転モードがオフにされたときのユーザ機
器の構造図である。
【図１０】  回転部が角度９０度回転したときの図９に示されたユーザ機器の構造図であ
る。
【図１１】  回転部が角度１８０度回転したときの図９に示されたユーザ機器の構造図で
ある。
【図１２】  回転部が角度２７０度回転したときの図９に示されたユーザ機器の構造図で
ある。
【図１３】本発明の別の実施形態によるユーザ機器の部分構造図である。
【図１４】図１３に示されたユーザ機器の中の切り換え制御ユニット及び回転ドライバユ
ニットの分解構造図である。
【図１５】図１３に示されたユーザ機器の中の第１の固定軸に沿った切り換え制御ユニッ
ト及び回転ドライバユニットの断面構造図である。
【図１６】図１３に示されたユーザ機器の中の凹型部の構造図である。
【手続補正２】
【補正対象書類名】明細書
【補正対象項目名】００２１
【補正方法】変更
【補正の内容】
【００２１】
さらに、上記実施形態に基づいて、本発明のユーザ機器の別の実施形態では、切り換え制御ユニット及び回転ドライバユニットがユーザ機器の本体部の両側面に配置され、ユーザ機器により接続されている、任意選択的な実施方式を提供する。特に、第１の取り付け穴及び第２の取り付け穴が可動部の両側面に配置される。第１の収容部が本体部の第１の取り付け穴に対応する位置に配置され、第２の収容部が本体部の第２の取り付け穴に対応する位置に配置される。切り換え制御ユニットは、第１の収容部と第１の取り付け穴とに接続される。回転ドライバユニットは、第２の収容部と第２の取り付け穴とに接続される。
【手続補正３】
【補正対象書類名】明細書
【補正対象項目名】００２７
【補正方法】変更
【補正の内容】
【００２７】
図１は、本発明の実施形態によるユーザ機器の分解構造図である。図２は、図１に示されたユーザ機器の部分構造図である。図３は、可動部の回転軸の方向に沿った図１に示されたユーザ機器の断面構造図である。図４は、図１に示されたユーザ機器の中の切り換え制御ユニットの分解構造図である。図５は、図４に示された切り換え制御ユニットの中のカムの構造図である。図６は、図５に示されたカムと結合される凹型部の構造図である。図７は、図１に示されたユーザ機器の中の回転ドライバユニットの分解構造図である。図８は、図７に示された回転ドライバユニットと可動部との間の接続の断面構造図である。
【手続補正４】
【補正対象書類名】明細書
【補正対象項目名】００２８
【補正方法】変更
【補正の内容】
【００２８】
図１乃至８に示されるように、実施形態では、第１の取り付け穴３１及び第２の取り付け穴３２が可動部３の両側面に配置されている。第１の収容部４１は、本体部４の第１の取り付け穴３１に対応する位置に配置されている。第２の収容部４２は、本体部４の第２の取り付け穴３２に対応する位置に配置されている。切り換え制御ユニット１は、押しボタン１１と、２本のプッシュロッド１２と、第１の固定軸１３と、カムホイール１４と、凹型ホイール１５と、第１のバネ１６と、第１の軸スリーブ１７と、スナップリング１８とを含む。第１の終端部１３１及び第２の終端部１３２が、第１の固定軸１３の両端に配置されている。２個の貫通穴１４１及び２個の突起フィールド１４２がカムホイール１４に配置されている。突起フィールド１４２と結合される凹型フィールド１５１が、凹型ホイール１５に配置されている。カムホイール１４と、凹型ホイール１５と、第１のスプリング１６と、第１の軸スリーブ１７と、スナップリング１８とは、第１の終端部１３１と第２の終端部１３２との間に順番に通されて取り付けられ、スナップリング１８は第２の終端部１３２に固定される。突起フィールド１４２及び凹型フィールド１５１は、対向するように配置される。第１の軸スリーブ１７の内径は、凹型ホイール１５の外径より大きい。２本のプッシュロッド１２のそれぞれの一端は、押しボタン１１に接着されて結合されており、２本のプッシュロッド１２のそれぞれの他端は、貫通穴１４１を介して凹型ホイール１５に接着されて結合されている。第１の軸スリーブ１７は、第１の取り付け穴３１と堅く結合されている。カムホイール１４は、第１の収容部４１と堅く結合されている。そして、押しボタン１１は、本体部４の外側に露出している。第１のバネ１６は、可動部３が停止させられているとき（閉じてオフのとき）、圧縮状態にあることで、カムホイール１４と凹型ホイール１５とは、第１のバネ１６の弾性力の影響下で、互いに堅く接着されている。回転ドライバユニット２は、中空である第２の固定軸２１と、第２の軸スリーブ２２と、第２のバネ２３とを含む。第２の固定軸２１は、第２の取り付け穴３２に通され、取り付けられ、第２の固定軸２１の一端は、可動部３の内面に接着させられている。第２のバネ２３及び第２の軸スリーブ２２は、第２の固定軸２１の他端に取り付けられ、他端の周囲を覆う。第２の軸スリーブ２２は、第２のバネ２３に取り付けられ、第２のバネ２３の周囲を覆う。第２のバネ２３の一端は、第２の軸スリーブ２２に接続され、第２のバネ２３のもう他端は、第２の取り付け穴３２の内面に接続されている。第２の軸スリーブ２２及び第２の収容部４２は、互いに堅く結合されている。第２のバネ２３は、可動部３が停止させられているとき（オフのとき）圧縮状態にある。可動部３と本体部４とを電気的に接続するケーブルは、第２の固定軸２１の中空部を通過し、本体部４のプリント配線板に接続されていてよい。本実施形態では、第１のバネ１６として引き付けバネが使用されてもよく、第２のバネ２３としてねじりバネが使用されてもよい。本実施形態では、データカードのＵＳＢコネクタは、ケーブルによって筐体内部のプリント配線板（以下、「ＰＣＢ」と称する）と電気的に接続可能である。さらに、ケーブルは、第２の軸スリーブ２２を通過し、ＵＳＢコネクタのアースをＰＣＢ上のアースに接続することができる。その上、第１の固定軸１３は金属製であり、ＵＳＢコネクタのアースをＰＣＢ上のアースにさらに接続することができる。このように、データカードのＵＳＢコネクタを右面及び左面でＰＣＢに同時に接地すること、すなわち、２重接地が、ケーブルと第１の固定軸１３とによって実現できる。当業者は、本実施形態が単一接地の形式をとることも可能であること、すなわち、ＵＳＢコネクタのアースが、ケーブル又は第１の固定軸１３によってＰＣＢ上のアースに接続できることも分かるであろう。
【手続補正５】
【補正対象書類名】明細書
【補正対象項目名】００３８
【補正方法】変更
【補正の内容】
【００３８】
本実施形態のユーザ機器に対して、切り換え制御ユニットを制御するため押しボタンを配置することにより、ユーザは、可動部を回転させることが必要であるとき、押しボタンを押し下げることにより外力を切り換え制御ユニットに加えることができ、これにより可動部と本体部とが互いに静止させるようにする摩擦が取り除かれるように可動部の回転モードがオンにされる。次に、回転ドライバユニットによって加えられた予備加圧弾性力の影響下で、可動部は本体部と相対的に自動的に回転することができ、ユーザは回転中に可動部を機械的に動かす必要がない。代替的に、ユーザは、カムホイールの突起フィールドと凹型ホイールの凹型フィールドとの間の摩擦に手動で抗して、可動部を本体部と相対的に回転させ、可動部の停止場所を制御することができる。従って、この実施形態は、ユーザ機器が比較的優れた操作性を有することができる。
【手続補正６】
【補正対象書類名】特許請求の範囲
【補正対象項目名】全文
【補正方法】変更
【補正の内容】
【特許請求の範囲】
【請求項１】
本体部と、前記本体部に電気的に接続された可動部と、前記本体部及び前記可動部を同軸的に接続する切り換え制御ユニット及び回転ドライバユニットと、を備えるユーザ機器であって、
前記切り換え制御ユニットは、外力を加えられることで前記可動部の回転モードをオンにし、前記本体部が前記可動部と相対的に固定されることを可能にする摩擦を取り除き、
前記回転ドライバユニットは、前記可動部が前記本体部と相対的に回転することを可能にするため、前記切り換え制御ユニットが前記可動部の前記回転モードをオンにしたとき、前記摩擦より小さい予備加圧弾性力を前記可動部に加える、ユーザ機器。
【請求項２】
前記切り換え制御ユニットは、切り換え要素と拘束要素とを備え、
前記拘束要素は、互いに堅く結合されたカムホイールと凹型ホイールとのペアを備え、
前記カムホイールは、前記本体部と前記可動部の一方に直接的に固定されるか、又は、前記本体部と前記可動部の一方に他の物理的構造体を介して固定され、
前記凹型ホイールは第１の固定軸に固定され、前記第１の固定軸の一端は前記カムを貫通し前記本体部の外側に露出した前記切り換え要素と接触し、前記第１の固定軸の他端は第１のバネを貫通し前記本体部と前記可動部の他方に直接的に固定されるか、又は、前記本体部と前記可動部の他方に他の物理的構造体を介して固定され、
前記回転ドライバユニットは第２のバネを備え、前記第２のバネの両端は、それぞれ前記本体部及び前記可動部に直接的に又は他の物理的構造体を介して固定されている、請求項１に記載のユーザ機器。
【請求項３】
前記切り換え制御ユニットは、切り換え要素と拘束要素とを備え、
前記拘束要素は、互いに堅く結合されたカムホイールと凹型ホイールとのペアを備え、
前記凹型ホイールは、前記本体部と前記可動部の一方に直接的に固定されるか、又は、前記本体部と前記可動部の一方に他の物理的構造体を介して固定され、
前記カムホイールは第１の固定軸に固定され、前記固定軸の一端は、前記凹型ホイールを貫通し前記本体部の外側に露出した前記切り換え要素と接触し、前記第１の固定軸の他端は前記第１のバネを貫通し前記本体部と前記可動部の他方に直接的に固定されるか、又は、前記本体部と前記可動部の他方に他の物理的構造体を介して固定され、
前記回転ドライバユニットは、第２のバネを備え、前記第２のバネの両端は、それぞれ前記本体部及び前記可動部に直接的に又は他の物理的構造体を介して固定されている、請求項１に記載のユーザ機器。
【請求項４】
前記可動部の両側面に第１の取り付け穴及び第２の取り付け穴が配置され、前記第１の取り付け穴に対応する前記本体部の位置に第１の収容部が配置され、前記第２の取り付け穴に対応する前記本体部の位置に第２の収容部が配置され、
前記切り換え制御ユニット及び前記回転ドライバユニットは前記本体部の両側に配置され、前記切り換え制御ユニットは前記第１の収容部及び前記第１の取り付け穴に接続され、前記回転ドライバユニットは前記第２の収容部及び前記第２の取り付け穴に接続される、請求項２又は３に記載のユーザ機器。
【請求項５】
前記切り換え要素が押しボタンであり、前記拘束要素は、前記第１の収容部と前記第１の取り付け穴とを貫通して取り付けられ、前記拘束要素は、少なくとも１本のプッシュロッドと、第１の軸スリーブと、スナップリングとを備え、前記第１の固定軸の両端に第１の終端部及び第２の終端部が配置され、前記カムホイールに貫通穴及び少なくとも２つの突起フィールドが配置され、前記凹型ホイールに前記突起フィールドと結合される凹型フィールドが配置され、
前記カムホイールと、前記凹型ホイールと、前記第１のバネと、前記第１の軸スリーブと、前記スナップリングとが前記第１の終端部と前記第２の終端部との間に順番に通されて取り付けられ、前記スナップリングは前記第２の終端部に固定され、前記突起フィールド及び前記凹型フィールドは互いに対向するように構成され、前記第１の軸スリーブの外径は前記凹型ホイールの外径より大きく、前記プッシュロッドの一端は前記押しボタンに接着され、前記プッシュロッドの他端は前記貫通穴を通過して前記凹型ホイールに接着され、前記第１の軸スリーブは前記第１の取り付け穴と堅く結合され、前記カムホイールは前記第１の収容部と堅く結合され、
前記第１のバネは、前記第１のバネの弾性力により前記カムホイール及び前記凹型ホイールが互いに堅く結合されるように、前記可動部が停止されているとき圧縮状態にある、請求項４に記載のユーザ機器。
【請求項６】
前記回転ドライバユニットは、中空である第２の固定軸と第２の軸スリーブとをさらに備え、
前記第２の固定軸は前記第２の取り付け穴に通されて取り付けられ、前記第２の固定軸の一端は前記可動部の内面に接着され、前記第２の固定軸の他端は前記第２のバネ及び前記第２の軸スリーブと共に配置され、前記第２の軸スリーブは前記第２のバネに取り付けられて前記第２のバネの周囲を覆い、前記第２のバネの一端は前記第２の軸スリーブに接続され、前記第２のバネの他端は前記第２の取り付け穴の内面に接続され、前記第２の軸スリーブは前記第２の収容部と堅く結合され、前記第２のバネは前記可動部が停止されているときにねじれている、請求項４又は５に記載のユーザ機器。
【請求項７】
第１の取り付け穴及び第２の取り付け穴が前記可動部の両側面に配置され、前記第１の取り付け穴に対応する前記本体部の位置に第１の収容部が配置され、前記第２の取り付け穴に対応する前記本体部の位置に第２の収容部が配置され、
前記切り換え制御ユニット及び前記回転ドライバユニットは前記本体部の同じ側に配置され、前記回転ドライバユニットは前記第１の収容部に接続され、前記切り換え制御ユニットは前記第１の取り付け穴に接続され、前記切り換え制御ユニットは前記回転ドライバユニットに接続され、前記第２の取り付け穴及び前記第２の収容部はケーブルを通し取り付けるため使用される、請求項２又は３に記載のユーザ機器。
【請求項８】
前記拘束要素は第１の軸スリーブとスナップリングとをさらに備え、前記第１の固定軸の両端に第１の終端部及び第２の終端部が配置され、前記カムホイールに少なくとも２つの突起フィールドが配置され、前記凹型ホイールに前記突起フィールドと結合させられる凹型フィールドが配置され、前記第１の軸スリーブの開口端にストッパ部が配置され、
前記回転ドライバユニットは、第２の軸スリーブとスライダとをさらに備え、
前記スナップリングと、前記第１の軸スリーブと、前記第１のバネと、前記カムホイールと、前記凹型ホイールと、前記第２のバネと、前記スライダと、前記第２の軸スリーブとは、前記第１の終端部と前記第２の終端部との間に順番に通されて取り付けられ、前記スナップリングと前記第１の軸スリーブのカバー端とが第２の終端部の溝に固定され、前記カバー端は前記スナップリングから離間され、前記カムホイールは前記第１の固定軸に固定され、前記突起フィールド及び前記凹型フィールドは互いに対向するように構成され、前記ストッパ部は、前記第１のバネと前記カムホイールと前記凹型ホイールとを前記第１の軸スリーブの内部に封止し、前記第１の軸スリーブの内壁が前記凹型ホイールと堅く結合され、前記第１の軸スリーブの外壁が前記第１の取り付け穴と堅く結合され、
前記第２のバネの一端は前記凹型ホイールに接続され、前記第２のバネの他端は前記スライダに接続され、前記第２の軸スリーブの外壁は前記第１の収容部と堅く結合され、前記第２の軸スリーブは前記スライダの周方向に前記スライダと相対的に静止し、
前記第１の終端部は前記本体部の外側に延在して前記切り換え要素に接着され、
前記可動部が停止させられているとき、前記第１のバネは圧縮状態にあり、前記第２のバネはねじれ状態にある、請求項７に記載のユーザ機器。
【請求項９】
固定ピンをさらに備え、前記スライダに貫通のため使用される第１の固定穴が前記第１の固定軸と垂直方向に配置され、前記第１の固定軸の前記第１の終端部に前記第１の固定穴と同軸である第２の固定穴が配置され、前記固定ピンは前記第１の固定穴と前記第２の固定穴とを貫通して前記スライダを前記第１の固定軸に固定する、請求項８に記載のユーザ機器。
【請求項１０】
前記突起フィールドの個数が２個であり、前記凹型フィールドの個数が４又は６個である、請求項５、６、８、又は９のいずれか一項に記載のユーザ機器。
【請求項１１】
前記凹型フィールドは、前記凹型ホイール上に離間して分布する第１の凹型ユニット及び第２の凹型ユニットを備え、前記第１の凹型ユニットの凹部深さが前記第２の凹型ユニットの凹部深さより深い、請求項５、６、８〜１０のいずれか一項に記載のユーザ機器。
【請求項１２】
前記ユーザ機器がリッド回転ハンドセットであり、前記可動部が前記リッド回転ハンドセットのリッド回転部であるか、又は、
前記ユーザ機器がＵディスクであり、前記可動部が前記Ｕディスクのコネクタである、請求項１〜１１のいずれか一項に記載のユーザ機器。
【請求項１３】
前記ユーザ機器がデータカードであり、前記可動部が前記データカードのＵＳＢコネクタであり、前記切り換え制御ユニットは金属製であり、前記ＵＳＢコネクタはケーブルを介して前記ユーザ機器の筐体の内部でプリント配線板に接続され、前記ＵＳＢコネクタのアースは、前記ケーブルを介して前記プリント配線板上のアースに接続されるか、又は、前記ＵＳＢコネクタのアースは、前記切り換え制御ユニットを介して前記プリント配線板上のアースに接続されている、請求項１〜１１のいずれか一項に記載のユーザ機器。
【国際調査報告】
2012526403.tif 000019
2012526403.tif 000020
2012526403.tif 000021
2012526403.tif 000022
2012526403.tif 000023
2012526403.tif 000024
2012526403.tif 000025
2012526403.tif 000026